(57)【要約】【課題】下水道管とマンホールとが剛接合されている既設のマンホールと下水道管との連結構造を、耐震構造のマンホールと下水道管との連結構造に容易に変更することができる施工方法の提供。【解決手段】既設の連結構造のマンホールの側壁１１の取付孔と下水本管７の端部とが剛接合されている接合部分を削孔して間隙１３を形成し、取付孔１２の近傍の側壁１１にアンカー孔１４を穿って雌ネジ付アンカーｎを打ち込み、ジョイントｊを間隙１３に嵌め込み、雌ネジ付アンカーｎにボルト５をねじ込んでジョイントｊをマンホール円筒体１に固定し、マンホール内からワイヤー式締め付け具６を嵌め込んで、ジョイントｊを下水本管７の端部外面に固定して、耐震構造のマンホールと下水道管との連結構造Ａに変更する。【選択図】図１
2007191886.tif 000002
【特許請求の範囲】
【請求項１】
マンホールの側壁に設けた取付孔へ、下水道管の端部を遊びがある状態に嵌め込んで前記マンホールと前記下水道管とを連結するマンホールと下水道管との連結構造であって、  取付孔近傍の側壁に雌ネジ付アンカーを打込み、
一方側にボルト孔付きフランジを有する剛性管と、一端側を前記剛性管の他方側の外周に固定し、他端側を前記下水道管の端部外面に固定可能な可とう性筒体とからなるジョイントを用い、
ボルト孔およびシール材を介してボルトを前記雌ネジ付アンカーの雌ネジにねじ込み、前記マンホールと前記下水道管とを前記ジョイントを介して連結することを特徴とするマンホールと下水道管との連結構造。
【請求項２】
前記可とう性筒体の一端側と前記剛性管の他方側との固定、および前記可とう性筒体の他端側と前記下水道管の前記端部外面との固定は、各々、リング状の締め付け具で行うことを特徴とする請求項１に記載のマンホールと下水道管との連結構造。
【請求項３】
マンホールに設けた取付孔の近傍の側壁にマンホール内からアンカー孔を穿ち、このアンカー孔にマンホール内から雌ネジ付アンカーを打ち込むアンカー打込工程と、
一方側にボルト孔付きフランジを有する剛性管と該剛性管の他方側の外周にリング状の締め付け具で一端側を固定した可とう性筒体とからなるジョイントを、前記マンホール内から反フランジ側を先にして、前記取付孔に遊嵌されている下水道管と取付孔内壁との隙間へ嵌め込むジョイント装入工程と、
前記側壁と前記フランジとの間に、雌ネジが隠れる大きさのシール材を挟み、ボルト孔および前記シール材を介してボルトを前記雌ネジ付アンカーに前記マンホール内からねじ込んで前記ジョイントを前記マンホールに固定する第１ジョイント固定工程と、
前記マンホール内から前記可とう性筒体の他端側に別のリング状の締め付け具を嵌め込んで、前記ジョイントを前記下水道管の端部外面に固定する第２ジョイント固定工程とからなる、マンホールと下水道管との連結方法。
【請求項４】
下水道管とマンホールとが剛接合されている、既設のマンホールと下水道管との連結構造を、耐震構造のマンホールと下水道管との連結構造に変更する施工方法であって、
既設の連結構造の前記マンホールの側壁の既設取付孔と前記下水道管の端部とが剛接合されている接合部分をマンホール内から削孔して環状の間隙を形成する削孔工程と、
間隙形成により広がった取付孔の近傍の側壁にマンホール内からアンカー孔を穿ち、このアンカー孔にマンホール内から雌ネジ付アンカーを打ち込むアンカー打込工程と、
一方側にボルト孔付きフランジを有する剛性管と、該剛性管の他方側の外周にリング状の締め付け具で一端側を固定した可とう性筒体とからなるジョイントを、前記マンホール内から、反フランジ側を先にして、前記取付孔に遊嵌されている前記下水道管と取付孔内壁との隙間へ嵌め込むジョイント装入工程と、
前記側壁と前記フランジとの間に、雌ネジが隠れる大きさのシール材を挟み、ボルト孔および前記シール材を介してボルトを前記雌ネジ付アンカーにマンホール内からねじ込んで前記ジョイントを前記マンホールに固定する第１ジョイント固定工程と、
前記マンホール内から前記可とう性筒体の他端側に別のリング状の締め付け具を嵌め込んで、前記ジョイントを前記下水道管の端部外面に固定する第２ジョイント固定工程とからなる、既設のマンホールと下水道管との連結構造を、耐震構造のマンホールと下水道管との連結構造に変更する施工方法。
【発明の詳細な説明】
【技術分野】
【０００１】
本発明は、家庭から排出される汚水等を流す下水道管とマンホールとの連結構造に関する。
【背景技術】
【０００２】
従来の下水道管との連結構造では、特許文献１の様に、下水道管とマンホールとが剛接合されている。
【特許文献１】特開２００３−９００７７号公報
【発明の開示】
【発明が解決しようとする課題】
【０００３】
マンホールと下水道管との連結構造において、地震動に対して、マンホールと下水道管との動きに違いが生じるが、下水道管とマンホールとが剛接合されている場合には、その動きの違いを吸収できないため破損を招く場合がある。
【０００４】
現在では、下水道管渠施設（主にマンホールと下水道管）を新しく敷設（新設工事）する場合は、耐震および止水目的で、マンホールにフレキシブルジョイントを取り付けることが一般的になっている。
しかし、以前に敷設された下水道管渠施設には、マンホールにフレキシブルジョイントが取り付けられていないのが現状である。
このため、阪神淡路大震災（平成７年１月発生）では、マンホールと下水道管との接合部、およびマンホールから１本目の下水道管に多くの被害が見られた。
【０００５】
下水道管とマンホールとが剛接合されている従来の下水道管渠施設を、耐震性の下水道管渠施設に変更する場合には、地中から一旦、マンホールや下水道管を掘り起こし、施工後、再び埋め直す必要がある。
【０００６】
また、下水道管渠施設を新しく敷設する場合において、立孔外から、マンホールにフレキシブルジョイントを取り付ける場合には、下記に示す課題が生じる。
フレキシブルジョイントの取り付けに熟練を要する。施工費が嵩む。工期がかかる。交通障害を引き起こす。
【０００７】
本発明の第１の目的は、マンホール内から、下水道管とマンホールとを容易に連結することができる、耐震構造のマンホールと下水道管との連結構造の提供にある。
本発明の第２の目的は、下水道管とマンホールとが剛接合されている既設のマンホールと下水道管との連結構造を、耐震構造のマンホールと下水道管との連結構造に容易に変更することができる施工方法の提供にある。
【課題を解決するための手段】
【０００８】
（請求項１について）
マンホールの側壁に設けた取付孔へ、下水道管の端部を遊びがある状態に嵌め込む。
雌ネジ付アンカーを、マンホールの側壁に設けた取付孔の近傍に打込む。
ジョイントは、一方側にボルト孔付きフランジを有する剛性管と、一端側を剛性管の他方側の外周に固定し他端側を下水道管の端部外面に固定可能な可とう性筒体とからなる。  
【０００９】
＜下水道管渠施設を新規に敷設する場合＞
一般に、下水道管をマンホールに接続するための連結部材を、マンホールの外側から取り付ける場合には、立坑を径大にして、取付孔の外側に作業人が入れる様にする必要がある。
しかし、本発明のマンホールと下水道管との連結構造は、マンホール側壁への雌ネジ付アンカーの打込み、および可とう性筒体と下水道管との固定を、マンホール内から行うことができるので、立坑の径はマンホールが埋設できる程度の大きさで良い。
【００１０】
また、マンホールと下水道管との連結構造は、剛性管のフランジのボルト孔、およびシール材を介して、ボルトを雌ネジ付アンカーの雌ネジにねじ込み、マンホールと下水道管とをジョイントを介して連結しているので以下の利点を奏する。
耐震性に優れ、且つ高い止水性が得られる。
熟練者でなくても、マンホール内から、下水道管をマンホールに容易に連結することができる。
ボルトをねじ込むことにより、ジョイントをマンホールに強固に連結することができ、マンホールと下水道管との一体化が図れる。
ジョイントが可とう性筒体を用いているので、下水道管をマンホールへ柔軟に接続することができる。
【００１１】
＜既設の下水道管渠施設の耐震化を図る場合＞
マンホール内から、ジョイントを介して下水道管をマンホールへ連結することができるので以下の利点を奏する。
施工費が安価で済み、短い工期で施工でき、作業場所が狭くて済むので交通の障害になり難い。また、マンホール内で連結作業を行うので、騒音の発生が少ない。
【００１２】
（請求項２について）
リング状の締め付け具で固定する構成であるので、可とう性筒体の一端側を剛性管の他方側に締め付け具で固定したジョイントを、マンホール内から容易に下水道管へ、締め付け具で固定することができるとともに、高い止水性が得られる。
また、接着剤等を使って固定していないので、乾くのを待つ時間が不要である。
【００１３】
（請求項３について）
＜下水道管渠施設を新規に敷設する場合に行う施工方法＞
マンホールに設けた取付孔の近傍の側壁に、マンホール内からアンカー孔を穿ち、このアンカー孔にマンホール内から雌ネジ付アンカーを打ち込む（アンカー打込工程）。
一方側にボルト孔付きフランジを有する剛性管と、この剛性管の他方側の外周にリング状の締め付け具で一端側を固定した可とう性筒体とからなるジョイントを、マンホール内から、反フランジ側を先にして、取付孔に遊嵌されている下水道管と取付孔内壁との隙間へ嵌め込む（ジョイント装入工程）。
【００１４】
側壁とフランジとの間に、雌ネジが隠れる大きさのシール材を挟み、ボルト孔およびシール材を介してボルトを雌ネジ付アンカーにマンホール内からねじ込んでジョイントをマンホールに固定する（第１ジョイント固定工程）。
マンホール内から可とう性筒体の他端側に別のリング状の締め付け具を嵌め込んで、可とう性筒体を下水道管の端部外面に固定する（第２ジョイント固定工程）。
【００１５】
剛性管と可とう性筒体とからなるジョイントを介して、下水道管をマンホールに連結しているので耐震性に優れる。
側壁とフランジとの間に挟んだシール材と、リング状の締め付け具で固定される可とう性筒体とにより、高い止水性が得られる。
ジョイントの隙間への嵌め込みと、雌ネジ付アンカーへのボルトのねじ込みと、リング状の締め付け具の嵌め込みだけなので、熟練者でなくても、マンホール内から、下水道管をマンホールに容易に連結することができる。
ボルトをねじ込むことにより、ジョイントをマンホールに強固に連結することができ、マンホールと下水道管との一体化が図れる。
ジョイントに可とう性筒体を用いているので、下水道管をマンホールへ柔軟に接続することができる。
【００１６】
（請求項４について）
＜下水道管とマンホールとが剛接合されている、既設のマンホールと下水道管との連結構造を、耐震構造のマンホールと下水道管との連結構造に変更する場合に行う施工方法＞
ジョイントを嵌め込むための隙間を作るために、既設の連結構造のマンホールの側壁の既設取付孔と下水道管の端部とが剛接合されている接合部分をマンホール内から削孔して環状の間隙を形成する（削孔工程）。
【００１７】
間隙形成により広がった取付孔の近傍の側壁に、マンホール内からアンカー孔を穿ち、このアンカー孔にマンホール内から雌ネジ付アンカーを打ち込む（アンカー打込工程）。  一方側にボルト孔付きフランジを有する剛性管と、この剛性管の他方側の外周にリング状の締め付け具で一端側を固定した可とう性筒体とからなるジョイントを、マンホール内から、反フランジ側を先にして、取付孔に遊嵌されている下水道管と取付孔内壁との隙間へ嵌め込む（ジョイント装入工程）。
【００１８】
側壁とフランジとの間に、雌ネジが隠れる大きさのシール材を挟み、ボルト孔およびシール材を介してボルトを雌ネジ付アンカーにマンホール内からねじ込んでジョイントをマンホールに固定する（第１ジョイント固定工程）。
マンホール内から可とう性筒体の他端側に別のリング状の締め付け具を嵌め込んで、ジョイントを下水道管の端部外面に固定する（第２ジョイント固定工程）。
【００１９】
上記各工程により、マンホールや下水道管を掘り起こして露出させる作業を行うことなく、既設のマンホールと下水道管との連結構造を、耐震構造のマンホールと下水道管との連結構造に変更することができる。
全ての作業をマンホール内から行うことができるので以下の利点を奏する。
施工費が安価で済み、短い工期で施工でき、作業場所が狭くて済むので交通の障害になり難い。また、施工に伴う騒音が外界に伝わり難い。
【発明を実施するための最良の形態】
【００２０】
既設のマンホールと下水道管との連結構造のマンホールの側壁の既設取付孔と下水道管の端部とが剛接合されている接合部分をマンホール内から削孔（破砕用器具、コアビット、超高圧水等を使用）して環状の間隙を形成し、間隙形成により広がった取付孔の近傍の側壁にマンホール内からアンカー孔を穿ち、このアンカー孔にマンホール内から雌ネジ付アンカーを打ち込み、可とう性筒体をワイヤー式締め付け具で剛性管に固定してなるジョイントを、マンホール内から、反フランジ側を先にして、取付孔に遊嵌されている下水道管と取付孔内壁との隙間へ嵌め込み、側壁とフランジとの間にシール材を挟み、ボルト孔およびシール材を介してボルトを雌ネジ付アンカーにマンホール内からねじ込んでジョイントをマンホールに固定し、マンホール内から可とう性筒体の他端側に別のワイヤー式締め付け具を嵌め込んで、ジョイントを下水道管の端部外面に固定する。
【００２１】
これにより、下水道管とマンホールとが剛接合されている既設のマンホールと下水道管との連結構造を、耐震構造のマンホールと下水道管との連結構造に容易に変更することができる。
【実施例１】
【００２２】
本発明の実施例１（請求項１〜４に対応）を図１〜図１２に基づいて説明する。
連結式のマンホールに用いる（現場打ちマンホールへの適用も可）、マンホールと下水道管との連結構造Ａは、雌ネジ付アンカーｎを側壁１１に打ち込んだマンホール円筒体１（マンホールに相当）の取付孔１２に、鋼製管（剛性管に相当）３とゴム製ブーツ４（可とう性筒体に相当）とからなるジョイントｊを、ボルト５および図４に示すワイヤー式締め付け具６を用いて下水本管７（下水道管に相当）を取り付けている（図１参照）。なお、このマンホールと下水道管との連結構造Ａは、マンホール円筒体１の取付孔ｈに下水本管７が剛接合されている既設のマンホールと下水道管との連結構造Ｂ（図５、図６参照）に耐震化工事を行ったものである。
【００２３】
連結式のマンホールは、マンホール円筒体１を含むマンホール円筒体８１、８２を、連結部材とシール部材とを用い、上下方向に積み重ねて地中に埋設されている。
なお、現場打ちマンホールでは、現場で型枠を組み、マンホール円筒体８１、８２を一体形成して地中に埋設している。
【００２４】
マンホール円筒体１は、最下段に位置し、有底円筒状を呈する。
このマンホール円筒体１は、後述する削孔工程により、既設のマンホールと下水道管との連結構造Ｂ（図５参照）の、取付孔ｈと下水本管７の端部とが剛接合されている接合部分を環状に削孔ｓ（図６参照）して取付孔１２としている。
【００２５】
ジョイントｊの鋼製管３は、ボルト孔３１（Φ８）を等間隔に八個形成したフランジ部３２（Φ５３７、幅７０ｍｍ）と、等径の円筒部３３（長さ１３０ｍｍ）とからなる。
なお、ボルト孔３１の数やフランジ部３２の寸法は任意であり、マンホール円筒体１や下水本管７の径により好適値が変化する。
ジョイントｊのゴム製ブーツ４は、径小の等径部４１と、先へ行く程、径大になる径拡部４２、基端側へ折り返される凹溝付きの屈曲部４３とからなる（図３参照）。
このゴム製ブーツ４の屈曲部４３の外周の凹溝にはワイヤー式締め付け具６１が取り付けられ、鋼製管３の円筒部３３の端部外周（他方側の外周）に、ゴム製ブーツ４の一端側が固定されている。また、ゴム製ブーツ４の等径部４１の外周には、ワイヤー式締め付け具６１を嵌め込むための凹溝が形成されている（図３参照）。
【００２６】
下水本管７（外径Φ４７０）は、下水本管８より低い位置に連結され、下水本管８からマンホール円筒体１内に流入した排水や汚水を流出させるためのものである。
この下水本管７の端部外面には、ワイヤー式締め付け具６を等径部４１の外周に嵌め込んだゴム製ブーツ４が固定されている。
【００２７】
つぎに、下水本管７とマンホール円筒体１とが剛接合されている、図５に示す既設のマンホールと下水道管との連結構造を、図１に示す耐震構造のマンホールと下水道管との連結構造Ａに変更する施工方法を説明する。
【００２８】
（１）削孔工程
図５に示す既設の連結構造のマンホール円筒体１の側壁１１の取付孔ｈと下水本管７の端部とが剛接合されている接合部分をマンホール内から削孔して環状の間隙１３を形成する。
環状の間隙１３は、下記に示す方法で形成する。
・噴射した水が排水できる場合には、図７に示す様に、リング体ｒの開口ｒ１から超高    圧水ｗを噴射して除去する。
・破砕に伴う騒音が発生しても問題がなく、コアビットｋが入る広いマンホールの場合    には、図８に示す様に、先端に超硬チップｃを取り付けたリング状のコアビットｋを    高速回転させて掘削除去する。
・破砕に伴う騒音が発生しても問題がなく、破砕用器具の電力が得られる場合には、図    ９に示す様に、コンクリート破砕用器具ｂを用いて破砕する。
なお、下水道管渠施設を新規に敷設する場合には、この削孔工程を省略する。
【００２９】
（２）アンカー打込工程
つぎに、図１０の（ａ）に示す様に、広がった取付孔１２の近傍の側壁１１に位置決めして、マンホール内からドリルｄでアンカー孔１４を穿つ。
そして、図１０の（ｂ）に示す様に、アンカー孔１４にマンホール内から雌ネジ付アンカーｎを打ち込む。
【００３０】
（３）ジョイント装入工程
反フランジ側を先にしてジョイントｊ（図３参照）をマンホール内から環状の間隙１３に嵌め込む｛図１１の（ｂ）参照｝。なお、ジョイントｊは、屈曲部４３の外周の凹溝にはワイヤー式締め付け具６１が取り付けられ、鋼製管３の円筒部３３の端部外周に、ゴム製ブーツ４の一端側が固定されている。
【００３１】
（４）第１ジョイント固定工程
図１２の（ａ）に示す様に、側壁１１とフランジ部３２との間に、雌ネジ付アンカーｎが隠れる大きさのシール材５１（ブチル、合成ゴム、水膨張ゴム等）を挟む。なお、シール材５１は、ボルト５を通すための孔を有する。
そして、図１２の（ｂ）に示す様に、ボルト孔３１およびシール材５１を介してボルト５を雌ネジ付アンカーｎにマンホール内からねじ込んでジョイントｊをマンホール円筒体１に固定する。
【００３２】
（５）第２ジョイント固定工程
図１２の（ｃ）に示す様に、ジョイントｊのゴム製ブーツ４の他端側の外周の凹溝に、マンホール内から別のワイヤー式締め付け具６を締め込んで、ジョイントｊを下水本管７の端部外面に固定する。
【００３３】
本実施例のマンホールと下水道管との連結構造Ａは、以下の利点を有する。
［あ］既設の下水道管渠施設の耐震化を図るための全ての作業（削孔工程、アンカー打込工程、ジョイント装入工程、第１ジョイント固定工程、第２ジョイント固定工程）をマンホール内から行うことができる。
このため、既設の下水道管渠施設の耐震化を図るための施工費が安価で済むとともに、短い工期で施工できる。
また、作業場所が狭くて済み、交通の障害になり難い。更に、施工に伴う騒音が外界に伝わり難いので、住宅地に近くても騒音苦情を受けることなく工事ができる。
【００３４】
［い］マンホールと下水道管との連結構造Ａは、鋼製管３およびゴム製ブーツ４からなるジョイントｊを用い、シール材５１を介して、ボルト５を雌ネジ付アンカーｎの雌ネジにねじ込み、マンホール円筒体１と下水本管７とを連結している。
このため、耐震性に優れ、且つ高い止水性が得られる。なお、従来技術｛図１１の（ａ）の場合｝には、地下水ｔがシール材からマンホール内へ入り込む。
熟練者でなくても、マンホール内から、下水本管７をマンホール円筒体１に容易に連結することができる。
また、ジョイントｊを介して、下水本管７をマンホール円筒体１へ、一体的に強固に連結することができる。
【００３５】
［う］マンホールと下水道管との連結構造Ａは、ジョイントｊと下水本管７との固定、およびゴム製ブーツ４と鋼製管３との固定にワイヤー式締め付け具６、６１を用いている。  このため、マンホールと下水本管７とを固定する作業をマンホール内から容易に行うことができる。また、接着剤等を使って下水本管７をマンホールに固定していないので、接着剤が乾くのを待つ時間が不要であるとともに、高い止水性が得られる。なお、ワイヤー式締め付け具６、６１の代りに、図１３に示すステンレスバンド９を使用しても良い。
【００３６】
［え］上記削孔工程において、図６に示す既設のマンホールと下水道管との連結構造Ｂのマンホールの側壁１１の取付孔ｈと下水本管７の端部とが剛接合されている接合部分（図５参照）を、マンホール内から削孔ｓしてジョイントｊを嵌め込むための環状の隙間１３を形成している（図７〜図９参照）。
このため、実施例１を実施すれば、下水道管とマンホールとが剛接合されている、既設のマンホールと下水道管との連結構造Ｂを、耐震構造のマンホールと下水道管との連結構造に容易に変更することができる。
【図面の簡単な説明】
【００３７】
【図１】マンホールと下水道管との連結構造を説明するための断面図である（実施例１）。
【図２】マンホールと下水道管との連結構造を説明するための説明図である（実施例１）。
【図３】その連結構造に用いるジョイント廻りの組み付け図である。
【図４】その連結構造に用いるワイヤー式締め付け具の斜視図である。
【図５】既設のマンホールと下水道管との連結構造を説明するための断面図である（実施例１）。
【図６】既設のマンホールと下水道管との連結構造において、取付孔と下水道管の端部とが剛接合されている接合部分を削孔する部分を示す説明図である（実施例１）。
【図７】リング体の開口から超高圧水を噴射して除去しているところを示す説明図である（実施例１）。
【図８】先端に超硬チップを取り付けたリング状のコアビットを高速回転させて掘削除去しているところを示す説明図である（実施例１）。
【図９】コンクリート破砕用器具を用いて破砕しているところを示す説明図である（実施例１）。
【図１０】（ａ）は取付孔の近傍の側壁に位置決めして、マンホール内からドリルでアンカー孔を穿つところを示す説明図であり、（ｂ）はそのアンカー孔に、マンホール内からアンカーを打ち込むところを示す説明図である（実施例１）。
【図１１】（ａ）は従来技術に係るマンホールと下水道管との連結構造を示す断面図であり、（ｂ）は実施例１のマンホールと下水道管との連結構造を示す説明図である。
【図１２】実施例１のマンホールと下水道管との連結構造において、（ａ）は側壁とフランジ部との間にシール材を挟んだ状態を示す説明図であり、（ｂ）はボルトを雌ネジ付アンカーにマンホール内からねじ込むところを示す説明図であり、（ｃ）はジョイントをマンホールに固定したところを示す説明図である。
【図１３】ステンレスバンドの斜視図である。
【符号の説明】
【００３８】
Ａ  マンホールと下水道管との連結構造
１  マンホール円筒体（マンホール）
３  鋼製管（剛性管）
４  ゴム製ブーツ（可とう性筒体）
５  ボルト
６  ワイヤー式締め付け具（別のリング状の締め付け具）
７  下水本管（下水道管）
９  ステンレスバンド（リング状の締め付け具）
１１  側壁
１２  取付孔
１４  アンカー孔
３１  ボルト孔
３２  フランジ部
５１  シール材
６１  ワイヤー式締め付け具（リング状の締め付け具）
ｊ  ジョイント
ｎ  雌ネジ付アンカー
ｂ  コンクリート破砕用器具
【図１】
2007191886.tif 000003
【図２】
2007191886.tif 000004
【図３】
2007191886.tif 000005
【図４】
2007191886.tif 000006
【図５】
2007191886.tif 000007
【図６】
2007191886.tif 000008
【図７】
2007191886.tif 000009
【図８】
2007191886.tif 000010
【図９】
2007191886.tif 000011
【図１０】
2007191886.tif 000012
【図１１】
2007191886.tif 000013
【図１２】
2007191886.tif 000014
【図１３】
2007191886.tif 000015